(57)【要約】【課題】ギターやハープなどの弦楽器を模した電子楽器において、コストを低減するとともに操作性の良い電子楽器を提供する。【解決手段】ギター型の電子楽器の弦入力部を改良する。基台１上に離間部材１１Ａ，１１Ｂで６本の疑似弦２を支設する。疑似弦２の軸端３１，３１を離間部材１１Ａ，１１Ｂにおいて弾性部材１１１，１１１を介して固着する。離間部材１１Ａ，１１Ｂの各内側にガイド部材１２Ａ，１２Ｂを配設する。疑似弦２の弾性変位の範囲を透孔１２１，１２１で規定する。基板１上にセンサ部３を配設する。可動シート３２に弦並び方向に６つの接点ゴム部３２ａを形成し、その柱状の可動部３２ｃに疑似弦２を取り付ける。可動部３２ｃの下端に可動接点３２ｅを形成し、プリント基板３１上に固定接点３４を形成する。可動接点３２ｅと固定接点３４の接触から、疑似弦２の振動を検出する。【選択図】      図１
2004212853.tif 000002
【特許請求の範囲】
【請求項１】
基台と、この基台上にその表面から離間して離間部材にて支設された複数の弾性棒状部材とを有し、該弾性棒状部材の弾性変位を検出して該変位検出時に楽音を発生し得るようにした電子楽器において、
前記基台に対して固定的に設けた固定センシング手段と、この固定センシング手段に対向して設けられ前記弾性変位時に固定センシング手段に接触または接近する可動センシング手段を有するゴム状弾性部材とを備るとともに、前記弾性棒状部材が前記ゴム状弾性部材の可動部を貫通して設けられ、
前記弾性棒状部材の指等による変位時に、前記固定センシング手段と前記ゴム状弾性部材の前記可動センシング手段との接触または接近にて、該弾性棒状部材の変位を検出するようにしたことを特徴とする電子楽器。
【請求項２】
前記弾性棒状部材の周囲に該弾性棒状部材の弾性変位の範囲を規定するストッパ機構を有することを特徴とする請求項１記載の電子楽器。
【請求項３】
前記弾性棒状部材の軸端を弾性部材で軸支する弾性軸支機構を有することを特徴とする請求項１記載の電子楽器。
【請求項４】
指盤部に音高を指定するための音高指定手段と、指盤部以外の支持体に設けた発音タイミングをコントロールするためのタイミング指定手段と、該音高指定手段とタイミング指定手段の操作にて楽音を発生する楽音発生手段とを有する電子楽器において、
上記タイミング指定手段は、基台上にその表面から離間して離間部材にて支設された複数の弾性棒状部材と、上記弾性棒状部材の弾性変位を検出する変位検出手段とを有し、
上記変位検出手段は、基台に対して固定的に設けた固定センシング手段と、この固定センシング手段に対向して設けられ前記弾性棒状部材の変位時に該弾性棒状部材に連動することで固定センシングに接触または接近する可動センシング手段を有するゴム状弾性部材とからなり、
前記タイミング指定手段での指定タイミングは、上記固定センシング手段と上記可動センシング手段との変位時であって、両者の接近から急速離間を検出することによって決定されることを特徴とする電子楽器。
【請求項５】
基台と、この基台上にその表面から離間して離間部材にて支設された複数の弾性棒状部材とを有し、該弾性棒状部材の弾性変位を検出して該変位検出時に楽音を発生し得るようにした電子楽器において、
前記弾性棒状部材の弾性変位を検出する変位検出手段と、
前記弾性棒状部材の弾性変位を検出しやすいように該弾性棒状部材をガイドするガイド手段と、
を有し、
上記変位検出手段は、基台に対して固定的に設けた固定センシング手段と、この固定センシング手段に対向して設けられ前記弾性棒状部材の変位時に該弾性棒状部材に連動することで固定センシングに接触または接近する可動センシング手段を有するゴム状弾性部材とからなり、
前記固定センシング手段と前記ゴム状弾性部材の前記可動センシング手段との接触または接近にて該弾性棒状部材の変位を検出するようにしてなり、前記ガイド手段は、上記弾性棒状部材の変位時にセンシングしやすいような動きを誘発するように構成されていることを特徴とする電子楽器。
【発明の詳細な説明】
【０００１】
【発明の属する技術分野】
本発明は、ギター、ウクレレ、ベースギター、コントラバス、ハープ等の弦楽器の弦に対応する複数の弾性棒状部材の弾性変位を検出して該変位検出時に楽音を発生し得るようにした電子楽器に関する。
【０００２】
【従来の技術】
従来、例えば特開２００２−１９６７５２号公報に開示された電子弦楽器がある。この電子弦楽器は、ギター型の電子楽器であって、ネック部（棹部）の指盤部操作子を押下して音高を指定するとともに、弦入力部の撥弦操作をトリガとして楽音を発生するものである。そして、この弦入力部の疑似弦の撥弦操作に応じて、弱撥から強撥までのタッチ感を付与した楽音を発生することができる。
【０００３】
この従来の電子弦楽器における弦入力部の疑似弦は、ワイヤの両端部を略直角に（ボディ面に対し垂直方向に）曲げたコの字型のアーチ状になっており、両端の足部をボディ内に貫通し、該足部の中間を軸として揺動可能となっている。この足部には弾性部材が当接しており、この弾性部材により該疑似弦がボディに対して非撥弦時に直角に起立するように付勢されている。そして、疑似弦を弾くことによりこの疑似弦の振動が弾性部材に伝達され、この弾性部材に取り付けられたピエゾ素子等のセンサにより、疑似弦の振動が検出される。この検出される振動に応じて楽音が発音される。
【０００４】
【特許文献１】
特開２００２−１９６７５２号公報
【０００５】
【発明が解決しようとする課題】
しかし、上記従来の電子楽器では、疑似弦を揺動可能に支持する部材、疑似弦の端部の揺動に復帰力を与える弾性部材、ピエゾ素子、その他これらを組み付けるための各種部品が必要で、部品点数が多くなりコスト高となるという問題がある。また、ピエゾ素子等のセンサを用いるのでコスト高となるという問題もある。さらに、疑似弦の撥弦により該疑似弦は主に揺動するだけであり、実際のギターの弦らしい動きができず、演奏にも支障がでるという問題がある。例えば、ギター演奏時には弦がボディー側へ変位（振動）する場合もあるが、上記従来の疑似弦ではこのような動きが困難であり、複数の弦を順に撥弦するとき、撥弦に失敗して発音されない弦がでてしまうこともある。
【０００６】
また、コスト低減のために、各弦に対応する長方形のプラスチック板をボディ面に直角に６枚並べて立て、このプラスチック板のボディ側の端部で該プラスチック板の弦並び方向の両側に配置した接点スイッチ等でこのプラスチック板の揺動を検出することも考えられる。しかし、この場合にも、実際のギターの弦らしい動きができず、上記同様の問題がある。
【０００７】
本発明は、弦楽器を模した電子楽器において、コストを低減するとともに操作性の良い電子楽器を提供することを課題とする。
【０００８】
【課題を解決するための手段】
請求項１の電子楽器は、基台側の固定センシング手段と、これに対向して固定センシング手段に接触または接近可能な可動センシング手段を有するゴム状弾性部材とを備え、基台から離間して支設された複数の弾性棒状部材を各々対応するゴム状弾性部材の可動部を貫通して設け、該記弾性棒状部材の指等による変位時に、固定センシング手段と可動センシング手段との接触または接近にて、該弾性棒状部材の変位を検出するようにした。これにより、固定センシング手段と可動センシング手段との接触または接近を検出するればよいので、センサ部として簡単な低コストのスイッチを用いることができる。また、弾性棒状部材を支設する構成、弾性棒状部材の各々を対応するゴム状弾性部材の可動部に貫通するだけという構成により、構造が簡単になりコストが低減する。さらに、弾性棒状部材が弦のように振動するので操作性もよくなる。なお、「振動」とは一回以上の揺動も含むものとする。
【０００９】
請求項２の電子楽器は、請求項１の構成において、さらにストッパ機構により弾性棒状部材の弾性変位の範囲を規定するようにしたので、請求項１と同様な作用効果が得られるとともに、該弾性棒状部材の過剰な変形やなど、破損を防止することができる。
【００１０】
請求項３の電子楽器は、請求項１の構成において、さらに弾性棒状部材の軸端を弾性部材で軸支するようにしたので、請求項１と同様な作用効果が得られるとともに、弾性棒状部材の中央部の振動に加えてこの軸端においても振動が可能となり、変形時の該弾性棒状部材の曲率半径が大きくなり、実際の弦の振動に近くなる。
【００１１】
請求項４の電子楽器は、複数の弾性棒状部材とこの弾性棒状部材の弾性変位を検出する変位検出手段とにより、発音タイミングをコントロールするタイミング指定手段を構成し、変位検出手段を、固定センシング手段とこの固定センシング手段に対向して設けられ弾性棒状部材の変位に連動することで固定センシングに接触または接近する可動センシング手段を有するゴム状弾性部材とで構成し、タイミング指定手段での指定タイミングを、固定センシング手段と可動センシング手段との変位時であって、両者の接近から急速離間を検出することによって決定するようにした。これにより、請求項１と同様な作用効果が得られるとともに、弾性棒状部材に押圧力を加えていても発音タイミングとせずに、弾性棒状部材を撥弦した瞬間（指等を離した瞬間）を発音タイミングとすることができ、弦楽器らしいタイミングで楽音を発生できる。
【００１２】
請求項５の電子楽器は、弾性棒状部材の弾性変位を検出する変位検出手段と、弾性棒状部材の弾性変位を検出しやすいように該弾性棒状部材をガイドするガイド手段とを備え、固定センシング手段と可動センシング手段との接触または接近にて弾性棒状部材の変位を検出するに、前記ガイド手段により、弾性棒状部材の変位時にセンシングしやすいような動きを誘発するようにした。これにより、請求項１と同様な構造によりコストが低減するとともに、弾性棒状部材が弦のように振動することで操作性もよくなり、さらに変位検出手段のセンシングが良くなる。
【００１３】
【発明の実施の形態】
図７は本発明の実施形態の電子楽器の外観図である。この電子楽器はギター型の電子楽器であり、その外観形状などの概略は特開２００２−１９６７５２号公報のものと同様である。ボディ１００の中央には弦入力部１１０が配設されている。ネック１２０には、先端のヘッド部１２０ａ側から第１〜第１２フレット１３０が順に配設されており、ヘッド部１２０ａと第１フレット１３０との間と、他の隣接する各フレット１３０，１３０の間には、各疑似弦に対応する複数のフレット操作部１０が配設されている。この実施形態におけるフレット操作部１０は請求項４における「音高指定手段」に相当し、弦入力部１１０が請求項４における「タイミング指定手段」に相当する。なお、ネック１２０のボディ１００側には設定スイッチ１４０と表示部１５０が配設されている。
【００１４】
各フレット操作部１０は、第１〜第１２フレット１３０に対応して弦長手方向（図７の矢印▲１▼の方向）に１２段、６つの疑似弦の各々に対応して弦並び方向（図７の矢印▲２▼方向）に６段配設された複数のフレットセンサであり、このフレット操作部１０はネック１２０上に計７２個がマトリクス状に配設されている。そして、各フレット操作部１０には、そのフレット操作部１０のある弦並び方向と弦長手方向の交差位置に対応するギターにおける各弦各フレット位置を押さえた時の音高と同じキーコードが割当てられている。なお、このフレット操作部１０においてアフタタッチ等を検出するようにしてもよいが、少なくとも、上記音高を指定できるものである。
【００１５】
（弦入力部の第１実施例）
図１は弦入力部の第１実施例の斜視図および一部断面図である。なお図１（Ｂ）  は図１（Ａ）  のＡ−Ａ断面図である。長方形の基台１上の両端には弦並び方向に長い長方形状の離間部材１１Ａ，１１Ｂが立設されており、この離間部材１１Ａ，１１Ｂにより、弾性棒状部材である６本の疑似弦２が基台１の表面から離間して弦方向に支設されている。なお、図の符号は１つの疑似弦に対応する１組の符号だけを付記してある。疑似弦２の軸端２１，２１は、離間部材１１Ａ，１１Ｂに形成された透孔内に装填固着された弾性部材１１１，１１１を貫通し、この軸端２１は弾性部材１１１，１１１に固着され、弾性部材で軸支する弾性軸支機構となっている。
【００１６】
離間部材１１Ａ，１１Ｂの各内側には離間部材１１Ａ，１１Ｂから所定の距離をおいてガイド部材１２Ａ，１２Ｂがそれぞれ配設されている。ガイド部材１２Ａ，１２Ｂにはそれぞれ６つの透孔１２１，１２１が形成されており、疑似弦２はガイド部材１２Ａ，１２Ｂの透孔１２１，１２１を通るように配置されている。なお、この疑似弦２は透孔１２１，１２１の内周に接触しないように配置されているが、疑似弦２が大きく撥弦されたときは、この疑似弦２の弾性変位の範囲が透孔１２１，１２１の内周面によって規定され、このガイド部材１２Ａ，１２Ｂおよび透孔１２１，１２１はストッパ機構を構成している。
【００１７】
一方の離間部材１１Ａとガイド部材１２Ａとの間の基板１上には、センサ部３が配設されている。センサ部３は基板１上に配設されたプリント基板３１、ゴム状弾性部材としてのゴム製の可動シート３２、プリント基板３１と可動シート３２の周囲を覆って基板１に固定される押え部材３３を有している。なお、３３１〜３３３は、押え部材３３の固定用ネジ孔である。
【００１８】
可動シート３２は弦並び方向に長方形のシート部に弦並び方向に併設された各疑似弦２に対応する６つの接点ゴム部３２ａを有している。図１（Ｂ）  に示したように、接点ゴム部３２ａはシート部から膨出されたドーム状のスカート部３２ｂと、該スカート部３２ｂ上に形成された円柱状の可動部３２ｃとを有している。スカート部３２ｂ内のプリント基板１上には固定センシング手段としてＥ型接点対を配置した固定接点３４が形成されている。また、可動部３２ｃの下部はスカート部３２ｂ内に突出部３２ｄを有しており、その下端には可動センシング手段としてのカーボン導体層からなる可動接点３２ｅが形成されている。また、可動接点３２ｅは下方に突出した球面状をなし、上記Ｅ型接点対を押下時に短絡してオンさせる。さらに、可動部３２ｃの上部には疑似弦２が貫通されている。
【００１９】
なお、上記の弦入力部１１０がボディ１００に取付られているときは、離間部材１１Ａとガイド部材１２Ａ間、離間部材１１Ｂとガイド部材１２Ｂ間は、それぞれ表ケース等により覆われており、疑似弦２はガイド部材１２Ａ，１２Ｂ間だけで表に露出するようになっている。
【００２０】
以上の構成により、ガイド部材１２Ａ，１２Ｂの間で疑似弦２を撥弦すると、この疑似弦２の振動（弾性変位）により、可動部３２ｃが振動し、その下端に形成されている可動接点３２ｅが固定接点３４に対して接触／非接触を繰り返す。そして、可動接点３２ｅが固定接点３４に接触することにより、スイッチがオンとなるので、このスイッチのオン／オフにより疑似弦２の振動（弾性変位）が検出される。
【００２１】
図１（Ｃ）  はセンサ部３の他の実施例を示している。この実施例の可動部３２ｃは、スカート部３２ｂ内に形成された突出部３２ｄの下端が弦並び方向に並ぶ２つのテーパ面となっており、このテーパ面にそれぞれカーボン導体層からなる可動接点３２ｆ，３２ｆが形成されている。プリント基板３１上には、これらの可動接点３２ｆ，３２ｆにそれぞれ対向する固定接点３５，３５が形成されている。これにより可動部３２ｇの弦並び方向への振動（揺動）により、各固定接点形３５，３５が、一方がオン、他方がオフとなる動作をし、これによって疑似弦２の振動（弾性変位）が検出される。なお、上記センサ部３が変位検出手段に相当する。
【００２２】
図２は実施例における疑似弦２の撓みの作用を説明する図である。疑似弦２はガイド部材１２Ａ，１２Ｂ間だけで表に露出するようになっているので、演奏者は、このガイド部材１２Ａ，１２Ｂ間を撥弦操作部として認識する。ここで、図２（Ａ）  のように撥弦操作部として認識される部分の両端が疑似弦の固定端となっていると、疑似弦の撓みが局部的なものとなってしまうが、実施例では、図２（Ｂ）  のように、撥弦操作部として認識されるガイド部材１２Ａ，１２Ｂ間の外側に固定端（離間部材１１Ａ，１１Ｂ）があるので、図２（Ａ）  のものより疑似弦の撓みの部分が局部的でなくなるとともに、この疑似弦２の撓みはガイド部材１２Ａ，１２Ｂの透孔１２１，１２１により規制されるので、実際のギターの弦のような感触を得ることができる。
【００２３】
（弦入力部の第２実施例）
図３は弦入力部１１０の第２実施例の斜視図および作用図である。長方形の基台１の一端にはセンサ部４が配設されており、このセンサ部４は、６本の疑似弦５に対応して弦並び方向に併設された接点ゴム部４１を備えている。この接点ゴム部４１は、スカート部４１ａと該スカート部４１ａ上に形成された円柱状の可動部４１ｂとを有している。そして、可動部４１ｂの上端には一端を直角に曲げた疑似弦５が取付られており、この疑似弦５の他端は第１実施例と同様に基台１上の図示しない離間部材および弾性部材により軸支されている。これにより疑似弦５は基台１から離間して配設されている。なお、この第２実施例ではセンサ部４が一方の離間部材に相当する。
【００２４】
また、基台１上には第１ガイド部材１３と第２ガイド部材１４が配設されている。なお、この第１，第２ガイド部材１３，１４が請求項５の「ガイド手段」に相当する。第１ガイド部材１３には縦長で角丸三角形状の６個の透孔１３ａが形成され、第２ガイド部材１４には縦長の６個の透孔１４ａが形成されている。そして、６本の各疑似弦５は透孔１３ａ，１４ａを通るように配置されている。なお、センサ部４の内部の詳細な構成は、前記第１実施例のセンサ部３と同様な構成であり、疑似弦５の振動（弾性変位）により、可動部４１ｂが振動し、その下端に形成されている可動接点が固定接点に対して接触／非接触を繰り返し、前記同様に疑似弦５の振動（弾性変位）が検出される。なお、透孔１４ａは、１３ａと同じ三角窓状にしてもよい。
【００２５】
以上の構成により、第１ガイド部材１３と第２ガイド部材１４の間で疑似弦５を撥弦すると、この疑似弦５は図３（Ｂ）  のような振動が可能となる。すなわち、疑似弦５は、基台１の面に対して直角方向の振動と平行方向の振動とを合わせたような斜めの振動をすることができる。これは、ギターの弦を撥弦するときにボディー側に押さえて低音弦から高音弦側に撥弦した場合も、また、高音弦から低音弦側に撥弦した場合にも対応する振動となる。これにより、実際のギターの弦のような感触を得ることができる。さらに、この振動のパターンが、ある程度所定のパターンとなるように規制される。すなわち、疑似弦５（弾性棒状部材）は、その変位時にセンシングしやすいような動きに誘発される。これにより、センサ部４のセンシングが良くなる。
【００２６】
図４は第１実施例あるいは第２実施例の弦入力部１１０に対応した楽音発生用の信号処理回路のブロック図であり、請求項４における発音タイミングをコントロールする構成に対応している。音高スイッチ部２１０は前記フレット操作部１０の全体から構成され、操作されたフレット操作部１０のうち、各弦毎にハイポジション側（最高音高のもの）のキーコードを優先して出力し、マイクロコンピュータ２２０に入力される。また、弦入力部１１０（センサ部３あるいはセンサ部４）からの各弦における検出信号（トリガ信号）がマイクロコンピュータ２２０に入力される。弦入力部１１０は、センサ部３における可動接点３２ｅと固定接点３４に対応する各弦毎のスイッチＳＷを備えている。各スイッチＳＷには所定電圧（ＴＴＬレベル）Ｖが印加され、このスイッチＳＷを介した電圧がリトリガラブルモノステーブルマルチバイブレータ（ＲＭＭ）２３０の反転入力端子（「Ｃバー」）に入力される。ＲＭＭ２３０はスイッチＳＷの出力がハイレベルからローレベルに立ち下がるときにハイレベルの出力を開始し、そのレベルを保持する。そして、このＲＭＭ２３０の出力の立ち上がりにより発音タイミングが指定され、このハイレベルの間がゲートタイム（発音持続時間）となる。なお、ＲＭＭ２３０の出力は疑似弦の振動の減衰等によりリセットされる。
【００２７】
これにより、センサ部３における最初のオフ（固定接点３４からの可動接点３２ｅの離脱）により、発音が開始される。すなわち、疑似弦２を指やピック等で押圧してスイッチＳＷがオンとなっただけでは発音タイミングとはならず、疑似弦２を撥弦した時点を過ぎてから、スイッチＳＷがオフとなって初めて発音タイミングとなる。このように、固定センシング手段（固定接点３４）と可動センシング手段（可動接点３２ｅ）の両者の接近から急速離間を検出することによって発音タイミングが決定される。これにより、ギター等の撥弦タイミングと発音タイミングの一致をうまくシミュレートすることができる。
【００２８】
図５はセンサ部の他の実施例および回路を示す図であり、一つの疑似弦について図示してある。このセンサ部６は、プリント基板６１上に２つのフォトカプラ６２，６３を設け、このフォトカプラ６２，６３上に、前記接点ゴム部４１に対応する振動ゴム部６４を配設したものである。振動ゴム部６４はスカート部６４１と可動部６４２とを有し、可動部６４２は、スカート部６４１内において下端が弦並び方向に並ぶ２つのテーパ面となっており、このテーパ面にそれぞれ反射面６４３，６４４が形成されている。また、振動ゴム部６４の上端近傍には疑似弦２が図面と直交する方向に貫通して取付られている。
【００２９】
フォトカプラ６２，６３は反射面６４３，６４４と同様に弦並び方向に並べて配置されており、各フォトカプラ６２，６３は発光部（発光ダイオード）と受光部（フォトトランジスタ）を有し、発光部からの光の反射光を受光部で受光するとスイッチがオンとなるものである。そして、疑似弦２を撥弦すると、振動ゴム部６４が図の矢印のように振動（揺動）する。この振動ゴム部６４の振動は反射面６４３，６４４の振動を起こし、フォトカプラ６２，６３が交互にオン／オフする。すなわち、フォトカプラ６２が反射面６４３で反射された反射光を受光するときは、フォトカプラ６３は反射面６４４による反射光を受光せず、フォトカプラ６３が反射面６４４で反射された反射光を受光するときは、フォトカプラ６２は反射面６４３による反射光を受光しないように構成されている。また、フォトカプラ６２，６３が同時にオンとはならないように構成されている。なお、この例では反射面６４３，６４４が左右に分割して形成されているが、この反射面６４３，６４４は連続につながるように構成してもよく、この場合、可動部６４２が真下に押し込まれた場合のオン信号を検出する際の信頼性が高まる。
【００３０】
図５（Ｂ）  に示したように、フォトカプラ６２，６３の出力は加算されて波形整形回路３１０に入力され、この波形整形回路３１０で波形整形された矩形波がリトリガラブルモノステーブルマルチバイブレータ（ＲＭＭ）３２０の反転入力端子（「Ｃバー」）に入力される。このＲＭＭ３２０は前記実施例のＲＭＭ２３０と同様な動作をする。そして、疑似弦２の撥弦によりフォトカプラ６２，６３および波形整形回路３１０から矩形波が出力されるが、ＲＭＭ３２０は、その矩形波がハイレベルからローレベルに立ち下がるときにハイレベルの出力を開始し、そのレベルを保持する。そして、このＲＭＭ３２０の出力の立ち上がりにより発音タイミングが指定される。すなわち、前記同様に、固定センシング手段（フォトカプラ６２，６３）と可動センシング手段（反射面６４３，６４４）の両者の接近から急速離間を検出することによって発音タイミングが決定され、ギター等の撥弦タイミングと発音タイミングの一致をうまくシミュレートすることができる。
【００３１】
図１（Ａ）  および（Ｂ）  では、疑似弦２を可動部３２ｃに取り付ける構造として疑似弦２を単に可動部３２ｃに刺し込むように貫通する構造となっている。これに対して、図１（Ｃ）  および図５（Ａ）  の実施例のように、可動部３２ｇ，６４２の上端からスリットｓｌを形成するとともに疑似弦取付位置に疑似弦の太さの透孔ｈを形成し、この透孔ｈに疑似弦２を挿入するような構造としてもよい。これにより、疑似弦２をスリットｓｌから挿入すればよいので、組立作業も容易になりさらにコストを低減できる。さらに、このようにスリットｓｌを設ける場合、例えば図６に示したように、可動部の上部を疑似弦と平行となるような円柱状に形成すると、スリットｓｌによる可動部の柔軟化も抑えることができ、確実に保持することができる。なお、スリットｓｌと透孔ｈは無理抜きによる型整形で形成することができる。
【００３２】
なお、以上の実施形態では、疑似弦を離間部材に固着する部分に弾性部材１１１を配設するようにしているが、この弾性部材１１１を無くし、疑似弦を離間部材に直接固着するようにしてもよい。この弾性部材１１１をなくしたりもっと堅いものにすると、疑似弦２はもっと振動する。いずれにしても、疑似弦の振動に連動して可動部（例えば３２ｃ）が振動（揺動）し、これによって疑似弦の振動が検出される。この可動部の「振動」とは一回以上の揺動も含むものである。
【００３３】
以上の実施形態では、ギター型の電子楽器について説明したが、バイオリン、ウクレレ、ベースギター、コントラバス、チェロ、ハープなどその他の弦楽器を模した電子楽器にも適用できる。
【００３４】
【発明の効果】
請求項１の電子楽器によれば、センサ部として簡単な低コストのスイッチを用いることができるとともに、弾性棒状部材を支設する構成、弾性棒状部材の各々を対応するゴム状弾性部材の可動部に貫通するだけという構成により、構造が簡単になりコストが低減する。さらに、弾性棒状部材が弦のように振動するので操作性もよくなる。
【００３５】
請求項２の電子楽器によれば、ストッパ機構により弾性棒状部材の弾性変位の範囲を規定するようにしたので、請求項１と同様な効果が得られるとともに、該弾性棒状部材の過剰な変形やなど、破損を防止することができる。
【００３６】
請求項３の電子楽器によれば、弾性棒状部材の軸端を弾性部材で軸支するようにしたので、請求項１と同様な効果が得られるとともに、弾性棒状部材の中央部の振動に加えてこの軸端においても振動が可能となり、変形時の該弾性棒状部材の曲率半径が大きくなり、実際の弦の振動に近くなる。
【００３７】
請求項４の電子楽器によれば、楽音発生の指定タイミングを、固定センシング手段と可動センシング手段との両者の接近から急速離間を検出することによって決定するようにしたので、請求項１と同様な効果が得られるとともに、指等を離した瞬間を発音タイミングとすることができ、弦楽器らしいタイミングで楽音を発生できる。
【００３８】
請求項５の電子楽器によれば、ガイド手段により、弾性棒状部材の変位時にセンシングしやすいような動きを誘発するようにしたので、請求項１と同様な構造によりコストが低減できるとともに、弾性棒状部材が弦のように振動することで操作性もよくなり、さらに変位検出手段のセンシングが良くなる。
【図面の簡単な説明】
【図１】本発明の実施形態における弦入力部の第１実施例の斜視図および一部断面図である。
【図２】第１実施例における疑似弦の撓みの作用を説明する図である。
【図３】本発明の実施形態における弦入力部の第２実施例の斜視図および作用図である。
【図４】本発明の実施例の弦入力部に対応した楽音発生用の信号処理回路のブロック図である。
【図５】本発明の実施形態におけるセンサ部の他の実施例および回路を示す図である。
【図６】本発明の実施形態における可動部の他の実施例を示す図である。
【図７】本発明の実施形態の電子楽器の外観図である。
【符号の説明】
１…基台、２，５…疑似弦（弾性棒状部材）、１０…フレット操作部（音高指定手段）、１１Ａ，１１Ｂ…離間部材、１２Ａ，１２Ｂ…ガイド部材、１３…第１ガイド部材（ガイド手段）、１１０…弦入力部（タイミング指定手段）、１１１…弾性部材、１２１…透孔、３２…可動シート、３４，３５…固定接点（固定センシング手段）、３２ｅ，３２ｆ…可動接点（可動センシング手段）
【図１】
2004212853.tif 000003
【図２】
2004212853.tif 000004
【図３】
2004212853.tif 000005
【図４】
2004212853.tif 000006
【図５】
2004212853.tif 000007
【図６】
2004212853.tif 000008
【図７】
2004212853.tif 000009